(57)【要約】      （修正有） 【課題】微細な泡を多量に生成することのできる泡立てネットを提供する。【解決手段】経糸及び緯糸が繊度１０〜４０ｄＴｅｘのポリ乳酸製モノフィラメントで、経糸密度及び緯糸密度が７０〜２００本／インチである平織物に一方向に略平行にひだ付け加工を行う。ひだ２が設けられた平織物を、ひだ２が軸方向Ａとなるように巻回して筒状体１を得る。筒状体１の軸方向Ａにおける中央部Ｃ，Ｃを折り目として、筒状体１の一端Ｘが他端Ｙと重合するように反転させ、得られた筒状物の重合端を束ねて縫着する。【選択図】図１
0003164770.tif 000002
【実用新案登録請求の範囲】
【請求項１】
経糸及び緯糸が繊度１０〜４０ｄＴｅｘのポリ乳酸製モノフィラメントで、経糸密度及び緯糸密度が７０〜２００本／インチである平織物で形成され、軸方向に略平行にひだ付けされた筒状体を、該筒状体の該軸方向における中央部を折り目として、該筒状体の一端が他端と重合するように反転させ、重合した端部を束ねて縫着してなることを特徴とする泡立てネット。
【請求項２】
筒状体は、ひだ付けされた平織物を、該ひだが軸方向となるようにして巻回して形成されたものである請求項１記載の泡立てネット。
【請求項３】
重合した端部を縫着すると共に掛け紐も縫着してなる請求項１記載の泡立てネット。
【考案の詳細な説明】
【技術分野】
【０００１】
本考案は、顔等の身体を洗浄する際に用いる泡立てネットに関し、微細な泡を大量に取り出すことのできる泡立てネットに関するものである。
【背景技術】
【０００２】
従来より、伸縮性のある筒状ネットを用いて、これを軸方向に圧縮した後、一箇所又は二箇所を緊締固定し、その他の箇所の圧縮を解放してなる泡立てネットが提案されている（特許文献１及び２）。特許文献１には、伸縮性のある筒状ネットを軸方向に全体に圧縮して環状体を形成し、この環状体の対向する二箇所を緊締固定し、その他の箇所の圧縮を解放してなる略球形状の泡立てネットが記載されている。特許文献２には、伸縮性のある筒状ネットを二本の棒を被覆するようにして固定し、二本の棒間の中央箇所を圧縮し緊締固定した略球形状の泡立てネットが記載されている。
【０００３】
しかしながら、伸縮性のある筒状ネットを用いると、泡立てネットが高弾力性となり、使用時に空気の吸込量及び放出量が多くなる。空気の吸込量及び放出量が多くなると、生成する泡の量は大量になるが、泡が大きくなりやすく、微細な泡が得られにくいという欠点があった。
【０００４】
【特許文献１】特開２００９−１０６６２７号公報
【特許文献２】特開２００９−１３６６３７号公報
【考案の開示】
【考案が解決しようとする課題】
【０００５】
本考案の課題は、微細な泡を多量に生成することのできる泡立てネットを提供することにある。
【課題を解決するための手段】
【０００６】
本考案は、使用する生地として伸縮性のない特定の平織物よりなり、軸方向に略平行にひだ付けされた筒状体を用い、特定の態様で泡立てネットとすることにより、微細な泡を多量に生成しうるようにしたものである。すなわち、本考案は、経糸及び緯糸が繊度１０〜４０ｄＴｅｘのポリ乳酸製モノフィラメントで、経糸密度及び緯糸密度が７０〜２００本／インチである平織物で形成され、軸方向に略平行にひだ付けされた筒状体を、該筒状体の該軸方向における中央部を折り目として、該筒状体の一端が他端と重合するように反転させ、重合した端部を束ねて縫着してなることを特徴とする泡立てネットに関するものである。
【０００７】
本考案で用いる経糸及び緯糸は、繊度１０〜４０ｄＴｅｘのポリ乳酸製モノフィラメントである。繊度１０〜４０ｄＴｅｘのポリ乳酸製モノフィラメントを用いるのは、その剛直性を利用して、石鹸が削れやすいようにするためである。また、剛直なため、形態安定性に優れており、ひだが消失しにくく、しかも平織物の目がずれにくく、微細な泡を生成しやすいからである。したがって、繊度が１０ｄＴｅｘ未満になると、剛直さが低下するため、前記した作用効果が不十分となる。また、繊度が４０ｄＴｅｘを超えると、剛直すぎて手指で把持すると痛くて苦痛を感じることがある。なお、繊度１０〜４０ｄＴｅｘのポリ乳酸製マルチフィラメントやポリ乳酸製紡績糸は、剛直性が低下するので、本考案では用いられない。
【０００８】
このポリ乳酸製モノフィラメントを経糸及び緯糸として、平織物とする。経糸密度及び緯糸密度は、７０〜２００本／インチである。この程度の経糸密度及び緯糸密度により形成される平織物の目は微細であるため、微細な泡を生成することができる。したがって、経糸密度及び緯糸密度が７０本／インチ未満になると、生成する泡が粗大になりやすい。また、経糸密度及び緯糸密度が２００本／インチを超えると、平織物の目がつまりすぎて、泡が多量に生成しにくくなる。
【０００９】
本考案において平織物を用いるのは、織成しやすいからである。前記したように本考案で用いるポリ乳酸製モノフィラメントは剛直なので、他の組織にすると織成しにくくなるし、編物としても編成しにくい。
【００１０】
本考案では、平織物の経方向、緯方向又はバイヤス方向の一方向に略平行にひだを付ける。具体的には、長尺状の平織物を幅方向に集束させてひだ付け加工を行う。すなわち、長尺状の平織物を幅方向に集束させた状態で、ポリ乳酸製モノフィラメントを湿熱又は乾熱で可塑化して、この状態で冷却すると、長尺方向に略平行にひだ付けされる。ポリ乳酸製モノフィラメントは剛直なものであるため、ひだ付け加工によって付けられたひだは形態安定性に優れており、消失しにくいものである。また、従来公知のプリーツ加工機を用いてひだ付け加工を行ってもよい。
【００１１】
一方向にひだ付けを行った平織物を、当該一方向が軸方向となるように、巻回して筒状体１を得る。筒状体１の表面には、図１に示したように、軸方向Ａに平行にひだ２が複数本設けられている。ひだ２の形成状態は、その製法により様々である。たとえば、前記したひだ付け加工による方法の場合には、比較的種々の長さのひだ２が無作為の間隔で形成された状態となっている（図１）。また、プリーツ加工機を用いる筒状体１の軸方向の長さと同一長さのひだが一定の間隔で形成された状態となる。
【００１２】
ひだ２を持つ筒状体１は、軸方向Ａにおける中央部Ｃ，Ｃを折り目Ｂとして、筒状体１の一端Ｘが筒状体１の他端Ｙと重合するように反転させる。この結果、図２に示したように、軸方向の長さが半分となった筒状物２が得られる。この筒状物２は、一端Ｘと他端Ｙとが重合しており、この重合した端に対向する端は折り目Ｂとなっており、そしてひだ２同士も重合している。
【００１３】
この筒状物３のＸ及びＹの重合端は切断端となっており、切断端に対向する端は折り目Ｂとなっているので、この切断端を束ねてテープ４等で被覆して縫着する。切断端を処理せずに、そのままにしておくと、ポリ乳酸製モノフィラメントの切断端が手指に当たり、その剛直さのために痛くて苦痛を感じることがある。一方、折り目Ｂはポリ乳酸製モノフィラメントの切断端が無いので、これが手指に当たっても痛くない。なお、切断端を縫着する際に同時に又は縫着した後に掛け紐５を縫着するのが好ましい。掛け紐５は、浴室や洗面所のフック等に使用後の泡立てネットを掛けて、乾燥させておくために用いる。また、掛け紐５に指を通して、使用することも可能である。
【００１４】
本考案に係る泡立てネットは、折り目Ｂよりなる端を広げ固形石鹸を入れて、水を供給して手指で擦ると、微細な泡が多量に生成する。その後、固形石鹸を取り除いて、泡立てネットを重合端から折り目Ｂに向けて絞るようにして、微細な泡を取り出す。そして、この微細な泡で洗顔するのである。
【考案の効果】
【００１５】
本考案に係る泡立てネットは、繊度１０〜４０ｄＴｅｘのポリ乳酸製モノフィラメントで、経糸密度及び緯糸密度が７０〜２００本／インチである平織物で形成され、この平織物にはひだが設けられて、しかも二重に重合している。ポリ乳酸製モノフィラメントの剛直性は、本考案において種々の作用効果を奏する。すなわち、（１）石鹸がよく削れて泡が生成しやすい、（２）平織物に付けられたひだが消失しにくく重合した平織物間で泡が多量に生成しやすい、（３）平織物の細かい目がずれにくいので微細な泡を生成するといった種々の作用効果を奏する。したがって、本考案に係る泡立てネットを用いれば、微細な泡を多量に得ることができるという効果を奏する。
【図面の簡単な説明】
【００１６】
【図１】本考案に係る泡立てネットを得る際に用いる筒状体の一例を示す平面図である。
【図２】図１に示した筒状体を反転させて得られた筒状物の一例を示す平面図である。
【図３】図２に示した筒状物を用いて得られた本考案の一例に係る泡立てネットの平面図である。
【符号の説明】
【００１７】
１    筒状体
２    ひだ
３    筒状物
４    リボン
５    掛け紐
Ａ    筒状体の軸方向
Ｂ    折り目
Ｃ    筒状体の軸方向における中央部
Ｘ    筒状体の一端
Ｙ    筒状体の他端
【図１】
0003164770.tif 000003
【図２】
0003164770.tif 000004
【図３】
0003164770.tif 000005